(57)【要約】【課題】  光学フィルタのサイズを大きくすることなく，開口部の面積を大きくすることが可能なフィルタ切替機構を提供する。【解決手段】  本発明は，開口部１２ａが形成された基台部１０と，開口部１２ａを覆う複数の光学フィルタ２４，２６を備えたフィルタ部材２０と，フィルタ部材２０を駆動して複数の光学フィルタ２４，２６を切り替える駆動部３０とを備える。ここで，開口部１２ａは，正方形とこの正方形の一辺より長く対角線よりも短い直径の円を同心上に組み合わせた形状を有することを特徴とする。【選択図】    図２
2007079338.tif 000002
【特許請求の範囲】
【請求項１】
開口部が形成された基台部と；
前記開口部を覆う１または２以上の光学フィルタを備えたフィルタ部材と；
前記フィルタ部材を駆動して前記１または２以上の光学フィルタを光軸に対して配置または除去するように切り替える駆動部と；
を備えたフィルタ切替機構であって：
前記開口部は，正方形と前記正方形の一辺より長く対角線よりも短い直径の円を同心上に組み合わせた形状を有することを特徴とする，フィルタ切替機構。
【請求項２】
前記フィルタ部材は，前記複数の光学フィルタとして，第１波長領域の光をカットする第１フィルタと，前記第１波長領域の光をカットしない第２フィルタと，を備えることを特徴とする，請求項１に記載のフィルタ切替機構。
【請求項３】
前記開口部の正方形の隅部を，アール形状としたことを特徴とする，請求項１または２に記載のフィルタ切替機構。
【発明の詳細な説明】
【技術分野】
【０００１】
本発明は，フィルタ切替機構に関し，特に，監視カメラ等の可視光波長域から近赤外波長域までの波長域で使用可能な昼夜兼用のテレビカメラに備えられるフィルタ切替機構に関する。
【背景技術】
【０００２】
監視カメラ等の昼夜兼用のテレビカメラは，カメラ本体に設けられた例えばＣＣＤ等の撮像素子の結像面に，昼間は可視光波長領域の光を結像させてカラー撮影を行い，夜間は可視光波長領域の光に加えて近赤外波長域の光を結像させてモノクロ撮影を行い，テレビモニタに映像を映し出す。
【０００３】
一般に，テレビカメラ用のレンズ装置の光学系は，使用される波長域に応じて設計され，それ以外の波長域で使用されると，色収差の影響で結像位置にずれが生じる。このため，昼光の可視光波長域（４００〜７００ｎｍ程度）と夜光の近赤外波長域（７５０〜１０００ｎｍ程度）の両方の波長域で使用される監視カメラ用のレンズ装置においては，使用される波長域に応じて結像位置を修正することが必要である。
【０００４】
このような結像位置の修正のために，例えば，昼光および夜光における結像位置のずれを修正する赤外光カットフィルタを備えるフィルタ切替機構をレンズ装置の光学系の途中部分に配置して，赤外光カットフィルタを光学系の光軸に対して配置・除去の切替が自在なように構成した監視カメラ用のレンズ装置がある（例えば，特許文献１を参照）。
【０００５】
上記フィルタ切替機構は，開口部が形成された基台部と，上記開口部を覆う例えば赤外光カットフィルタおよびクリアフィルタ（素通しのガラス）を備えたフィルタ部材と，このフィルタ部材を駆動して赤外光カットフィルタとクリアフィルタとを切り替える駆動部とを備える。図７に，上記開口部の形状の従来例を示した。通常，絞り開口は，撮像素子（例えば，ＣＣＤ等）の対角Ｄ以上の直径を持つ円形開口であり，撮像素子の全面に光が入射されるように形成されている。さらに，開口部の形状は，通常，絞り開口の形状に合わせて，図７（ａ）に示したような略円形状に形成され，その直径は，撮像素子の対角Ｄ以上であって，絞り開口の直径以下となるように定められる。
【０００６】
ところで，監視カメラは，特に夜間において必要性が高く，例えば不審者の顔等を確認することができるように，夜間でもできる限り明るくはっきりとした映像を映し出すことが好ましい。したがって，監視カメラ市場においては，Ｆナンバーの小さい（明るい）レンズ装置が要求されている。かかる要求に応えるためには，上記フィルタ切替機構に設けられた開口部の開口面積を少しでも大きくすることにより，開口部を通過する光量を可能な限り多くすることが必要である。
【０００７】
【特許文献１】特開２００２−１８９２３８号公報
【発明の開示】
【発明が解決しようとする課題】
【０００８】
しかしながら，絞り開口の直径に対応してフィルタ切替機構の開口部の面積を大きくすると，この開口部を覆う赤外光カットフィルタなどの光学フィルタのサイズも大きくなってしまう。この光学フィルタは一般にガラス等の材質で構成されているため，光学フィルタのサイズの大型化に伴い，この光学フィルタ自体の重さも増加し，動力が比較的小さいフィルタ切替機構の駆動部では，フィルタ切替機構を駆動させることができないという問題があった。また，光学フィルタのサイズが大型化すれば，その分コストも上昇するという問題もあった。そのため，光学フィルタのサイズを大きくすることなく，開口部の面積を大きくすることが必要となる。
【０００９】
また，上記駆動部の動力の制約から，開口部を略円形状に形成した場合，光学フィルタのサイズを大きくすることなく，開口部の円の直径を大きくすることには限界があるため，図７（ｂ）に示すように，円の直径が略矩形形状を有するＣＣＤ等の撮像素子の対角Ｄ´以下となり，フィルタ切替機構の開口部を通過した光が撮像素子の四隅の部分に届かないため，四隅の部分が欠けた画像となってしまう場合がある。
【００１０】
一方，ＣＣＤ等の撮像素子の形状に合わせて，フィルタ切替機構の開口部の形状を略矩形形状に形成すると，光学フィルタを接着する際に使用した接着剤が開口部へはみ出してしまう，すなわち，接着しろが確保できない，という問題もあった。
接着しろ必要
【００１１】
そこで，本発明は，このような問題に鑑みてなされたもので，その目的は，フィルタ切替機構の開口部の形状を工夫することにより，光学フィルタのサイズを大きくすることなく開口部の面積を大きくすることが可能な，新規かつ改良されたフィルタ切替機構を提供することにある。
【課題を解決するための手段】
【００１２】
上記課題を解決するために，本発明のある観点によれば，開口部が形成された基台部と，上記開口部を覆う１または２以上の光学フィルタを備えたフィルタ部材と，フィルタ部材を駆動して上記１または２以上の光学フィルタを光軸に対して配置または除去するように（光軸上に出し入れするように）切り替える駆動部と，を備えたフィルタ切替機構が提供される。本発明に係るフィルタ切替機構は，上記開口部が，正方形と前記正方形の一辺より長く対角線よりも短い直径の円を同心上に組み合わせた形状を有することを特徴とする。
【００１３】
ここで，本発明において「正方形と円を同心上に組み合わせる」とは，正方形の重心（対角線の交点）と円の中心を重ねることを意味している。
【００１４】
かかる構成を有することにより，本発明に係るフィルタ切替機構は，開口部の開口面積をより大きくとることができ，かかる開口部を有するフィルタ切替機構を備えることで，よりＦナンバーの小さなレンズ装置を得ることができる。また，開口部を上記のような形状にすることにより，光学フィルタの面積を有効利用でき，光学フィルタのサイズを大きくすることなく，開口部の面積をより大きくすることができる。
【００１５】
また，上記フィルタ部材は，上記複数の光学フィルタとして，第１波長領域の光をカットする第１フィルタと，第１波長領域の光をカットしない第２フィルタとを備えるように構成してもよい。
【００１６】
ここで，例えば，第１波長領域としては，近赤外波長領域（７５０〜１０００ｎｍ程度），第１フィルタとしては，赤外光カットフィルタ，第２フィルタとしては，赤外光をカットしないクリアフィルタを採用することができる。
【００１７】
かかる構成を有することにより，本発明に係るフィルタ切替機構は，昼間の撮影時と夜間の撮影時とで第１フィルタと第２フィルタとを切り替えることができる。したがって，昼間の撮影時には可視光波長域の光で撮影を行い，夜間の撮影時には近赤外波長域の光で撮影を行うことにより生じる，色収差の影響による結像位置のずれを修正することができ，これにより，昼夜において鮮明な画像を得ることが可能となる。
【００１８】
また，上記開口部の正方形の隅部をアール形状としてもよい。このように，隅部をアール形状とすることにより，光学フィルタとフィルタ部材の基板との接着の際に，光学フィルタの例えば４隅にある接着剤がある程度浸透しても，開口部へはみ出す前に基板が存在することから，開口部へのはみ出しを防止することができる。
【発明の効果】
【００１９】
本発明によれば，フィルタ切替機構の開口部を正方形とこの正方形の一辺より長く対角線よりも短い直径の円を同心上に組み合わせた形状とすることにより，光学フィルタのサイズを大きくすることなく開口部の面積を大きくすることが可能なフィルタ切替機構を提供することができる。
【発明を実施するための最良の形態】
【００２０】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２１】
（本発明の一実施形態に係るフィルタ切替機構の構成）
まず，図１に基づいて，本発明の一実施形態に係るフィルタ切替機構の外観構成について説明する。なお，図１は，本実施形態に係るフィルタ切替機構１の外観構成を示す図であって，（ａ）は正面図，（ｂ）は側面図である。
【００２２】
図１に示すように，本実施形態に係るフィルタ切替機構１は，開口部１２ａが形成された基台部１０と，開口部１２ａをフィルタ切替機構１の背面側から覆う２つの光学フィルタ（例えば，赤外光カットフィルタ２４とクリアフィルタ）を備えたフィルタ部材（図示せず）と，フィルタ部材を駆動して上記複数の光学フィルタを光軸に対して配置または除去するように切り替える駆動部３０と，を主に備える。
【００２３】
基台部１０およびフィルタ部材の詳細な構成については後述するが，フィルタ切替機構１は，基台部１０に形成された開口部１２ａをその背面側から覆う複数の光学フィルタを切り替えることにより，昼光および夜光における結像位置のずれを修正することができる。なお，基台部１０の厚みは通常２．５ｍｍ程度である。
【００２４】
また，基台部１０の外縁の中央より下側には，左右両側に一対の取り付け部１６が設けられている。取り付け部１６は，フィルタ切替機構１の基台部１０をレンズ鏡胴内の支持部材（図示せず）に取り付けて固定するための部材であり，取り付け部１６の中央には，ビス等の固定部材（図示せず）を挿入するための挿入孔１６ａが形成されている。フィルタ切替機構１は，２つの挿入孔１６ａに挿入された固定部材によりレンズ鏡胴内に固定される。
【００２５】
駆動部３０は，例えばガルバノメータ３２等の動力源と，後述するフィルタ部材移動機構（図２参照）とからなる。ガルバノメータ３２は，フィルタ部材移動機構を動作させることによりフィルタ部材（図２参照）を駆動させる。このガルバノメータ３２には，２対の電極端子３２２，３２４が設けられている。電極端子３２２は，ガルバノメータ３２を駆動するための電力を供給するためのものであり，電極端子３２４は，例えばガルバノメータ３２の回転速度を検出するためにガルバノメータ３２内に設けられたジェネレータに接続される端子である。配線コード３２６，３２８は，一端がそれぞれ電極端子３２２，３２４に接続されており，他端はそれぞれの制御回路等（図示せず）へ接続されている。
【００２６】
次に，図２〜図４に基づいて，本実施形態に係るフィルタ切替機構１の内部構成について詳細に説明する。なお，図２は，本実施形態に係るフィルタ切替機構１の内部構成を示す背面図である。また，図３は，本実施形態に係る基台部１０および駆動部３０の内部構成を示す背面図である。また，図４は，本実施形態に係るフィルタ部材２０の構成を示す背面図であり，（ａ）はフィルタ基板２２を示し，（ｂ）は光学フィルタ（赤外光カットフィルタ２４およびクリアフィルタ２６）を示す。
【００２７】
図２に示すように，フィルタ切替機構１は，開口部１２ａが形成された基台部１０と，開口部１２ａを覆う赤外光カットフィルタ２４およびクリアフィルタ２６を備えたフィルタ部材２０と，フィルタ部材２０を駆動して赤外光カットフィルタ２４とクリアフィルタ２６とを切り替える駆動部３０と，を主に備える。
【００２８】
基台部１０は，図２および図３に示すように，本体部１２と，フレーム部１４と，上述した取り付け部１６と，係止爪１８とを備える。
【００２９】
本体部１２は，フィルタ部材２０が配置されるスペースであり，その中央部付近に開口部１２ａが形成されている。この開口部１２ａは，本発明の特徴的部分であり，詳細については後述する。
【００３０】
また，本体部１２の外縁部には，左右両側に２つずつ，合計４つの案内溝１２ｂが形成されている。案内溝１２ｂは，フィルタ部材２０の光軸に対して垂直方向の移動，すなわち，赤外光カットフィルタ２４とクリアフィルタ２６との切替の際に，フィルタ部材の移動をガイドする。後述するフィルタ部材のフィルタ基板（図４参照）の正面側（被写体光の進入側）には，４つの駆動ピン（図示せず）が設けられており，この駆動ピンが案内溝１２ｂに係合することにより，フィルタ部材２０は，案内溝１２ｂに沿って，光軸に対して垂直方向に上下動することができる。
【００３１】
フレーム部１４は，本体部１２の外縁部に沿って本体部１２の周囲を囲むように設けられている。また，フレーム部１４には，一対の取り付け部１６と，５つの係止爪１８とが設けられている。取り付け部１６の構成については上述した通りである。係止爪１８は，本体部１２に配置されたフィルタ部材２０が光軸に対して垂直方向に上下動する際に，光軸方向のがたつきを防止するように支持する。図２，図３に示すように，本実施形態では，係止爪１８は，左側に３つ，右側に２つ設けられているが，係止爪の数や位置はこの場合に限られず，フィルタ部材２０の移動の際の光軸方向にがたつきを防止できるものであれば，特に個数や位置は限定されない。
【００３２】
フィルタ部材２０は，図２および図４に示すように，フィルタ基板２２と，赤外光カットフィルタ２４と，クリアフィルタ２６と，フィルタ位置決め部材２８とを備える。
【００３３】
フィルタ基板２２は，例えば略矩形形状の薄い金属板である。フィルタ基板２２には，柄部２３が光軸に対して垂直方向下方に向かって延設されており，柄部２３の長手方向がフィルタ基板２２の長辺方向となるように形成されている。
【００３４】
また，フィルタ基板２２には，長辺方向に沿って，形状および大きさの等しい２つのフィルタ開口部２２ａ，２２ｂが形成されている。フィルタ開口部２２ａ，２２ｂの大きさおよび形状はまた，基台部１０の本体部１２に形成された開口部１２ａとも等しく，この形状や大きさの詳細については後述する。
【００３５】
また，フィルタ部材２２の柄部２３の下端部には，フィルタ基板２２の短辺方向に沿って駆動溝２２ｃが形成されており，この駆動溝２２ｃに後述する駆動部３０の駆動ピン（図２または図３参照）が係合することにより，駆動部３０がフィルタ部材２０を光軸に対して垂直方向に上下動させることができる。
【００３６】
赤外光カットフィルタ２４とクリアフィルタ２６は，ともに，例えば略正方形状の厚さ０．３〜０．５ｍｍ程度の薄いガラス板やアクリル樹脂等であり，それぞれ，フィルタ開口部２２ａと２２ｂとを背面側（被写体光の進行方向側）から覆うように，フィルタ基板２２上に配置される。赤外光カットフィルタ２４とクリアフィルタ２６を配置する位置は，後述するフィルタ位置決め部材２８によって位置決めされており，赤外光カットフィルタ２４とクリアフィルタ２６は，上記位置決めされた位置に，例えば４隅が接着剤により固着されている。
【００３７】
また，赤外光カットフィルタ２４は，近赤外波長域（７５０〜１０００ｎｍ程度）の光を遮断するための光学フィルタである。赤外光カットフィルタ２４は，例えば薄緑色のガラスであり，近赤外波長域の光を遮断して，昼間の可視光波長域（３５０〜７００ｎｍ程度）の光を利用する撮影時に使用する。一方，クリアフィルタ２６は，本実施形態においては例えば素通しのガラスであり，近赤外波長域の光を遮断せずに透過させて，夜間の近赤外波長域の光を利用する撮影時に使用する。このように，昼間は赤外光カットフィルタ２４を使用し，夜間はクリアフィルタ２６を使用するというように，光学フィルタを昼間の撮影時と夜間の撮影時とで切り替えることにより，色収差の影響による結像位置のずれを修正することができ，これにより，昼夜において鮮明な画像を得ることが可能となる。なお，夜間の撮影時により鮮明な画像を得るために，クリアフィルタ２６の代わりに，可視光波長域の光をカットする可視光カットフィルタを使用しても良い。
【００３８】
フィルタ位置決め部材２８は，フィルタ部材２２の矩形部分の４隅に各２個ずつ設けられており，図４（ｂ）に示した赤外光カットフィルタ２４とクリアフィルタ２６がそれぞれフィルタ開口部２２ａと２２ｂを覆うように，フィルタ位置決め部材２８の位置が定められている。このフィルタ位置決め部材２８は，例えば板状の金属を底面から３０〜４０°程度の角度で折り曲げて一部を傾斜させ，この傾斜させた部分で赤外光カットフィルタ２４やクリアフィルタ２６を固定支持できるように形成される。
【００３９】
駆動部３０は，上述したように，例えばガルバノメータ３２等の動力源と，フィルタ部材移動機構３４とからなる。ガルバノメータ３２については上述したので詳細な説明は省略する。
【００４０】
フィルタ部材移動機構３４は，図２および図３に示すように，アーム３４２と，駆動ピン３４３と，駆動軸３４４と，係止ピン３４６と，ストッパ３４８とを備える。
【００４１】
アーム３４２は，その先端部に駆動ピン３４３が設けられており，その後端部側に位置する駆動軸３４４を中心にして回動可能なように構成されている。駆動ピン３４３は，上述したように，フィルタ基板２２に形成された駆動溝２２ｃに係合する。また，係止ピン３４６は略円柱状に形成されており，アーム３４２が最も下方に回動したとき（赤外光カットフィルタ２４が開口部１２ａを覆う位置に配置されたとき）にアーム３４２の中央付近に接触するように配置されている。また，ストッパ３４８は，アーム３４２が最も上方に回動したとき（クリアフィルタ２６が開口部１２ａを覆う位置に配置されたとき）に係止ピン３４６に接触するような突起として設けられている。
【００４２】
次に，図２〜図５に基づいて，本実施形態に係るフィルタ切替機構１の特徴的部分である開口部１２ａおよびフィルタ開口部２２ａ，２２ｂについて説明する。なお，図５は，本実施形態に係る開口部１２ａの形状を示す説明図である。また，開口部１２ａの形状とフィルタ開口部２２ａ，２２ｂの形状とは同一であることから，以下の説明では，開口部１２ａについて説明することとする。
【００４３】
図５に示すように，開口部１２ａは，正方形Ｓとこの正方形Ｓの一辺より長く対角線よりも短い直径の円Ｃを同心上に組み合わせた形状を有している。従来は，開口部の形状は，上述したように，円形状または一辺の長さが円の直径と同じ長さの正方形状であったが，本実施形態に係る開口部１２ａのような形状にすることにより，開口部の開口面積をより大きくとることができ，かかる開口部１２ａを有するフィルタ切替機構１を備えることで，よりＦナンバーの小さなレンズ装置を得ることができる。また，開口部１２ａを上記のような形状にすることにより，光学フィルタ（赤外カットフィルタ２４，クリアフィルタ２６）の面積を有効利用でき，光学フィルタのサイズを大きくすることなく，開口部１２ａの面積をより大きくすることができる。
【００４４】
また，開口部１２ａの正方形Ｓに相当する部分において，正方形Ｓの隅部（図５では，４隅）をアール形状としてもよい。このように，正方形Ｓの隅部をアール形状とすることにより，赤外光カットフィルタ２４やクリアフィルタ２６等の光学フィルタとフィルタ基板２２との接着の際に，光学フィルタの例えば４隅にある接着剤がある程度浸透しても，開口部１２ａへのはみ出しを防止することができる。すなわち，正方形Ｓの隅部をアール形状とすることで，接着シロを確保することができる。なお，接着剤が開口部へはみ出すと，その分開口部の面積が小さくなってしまうので，これを防ぐことが好ましい。
【００４５】
次に，開口部１２ａの大きさについて説明する。通常，例えば，円Ｃの径（絞り径）が１０ｍｍ，光学フィルタ（赤外カットフィルタ２４，クリアフィルタ２６）の一辺が１１ｍｍで形成される。従来は，図７（ａ）に示したような略円形状の開口部の面積を大きくするために，図７（ｂ）に示したような略正方形状にしているが，この場合でも絞り径は１０ｍｍのものしか使用することができない。ところで，監視カメラ用のレンズは暗い所も鮮明に映すことができるＦナンバーの小さい（明るい）レンズが求められているが，このままでは，絞り径１０ｍｍまでしか対応できず，よりＦナンバーの小さなレンズを使用することができない。そこで，本実施形態においては，上述したように開口部１２ａの形状を工夫することにより，例えば，１０．５ｍｍの絞り径まで対応できるようになり，よりＦナンバーの小さなレンズを使用することができる。
【００４６】
（本発明の一実施形態に係るフィルタ切替機構の動作）
次に，図６に基づいて，本実施形態に係るフィルタ切替機構１の動作について説明する。なお，図６は，本実施形態に係るフィルタ切替機構１の動作を説明するための背面図であり，（ａ）は，開口部１２ａに赤外光カットフィルタ２４が位置している状態を示す図であり，（ｂ）は，開口部１２ａにクリアフィルタ２６が位置している状態を示す図である。
【００４７】
図６に示すように，フィルタ部材移動機構３４のアーム３４２の先端部に設けられた駆動ピン３４３が，フィルタ基板２２の駆動溝２２ｃに係合し，例えばガルバノメータ３２等の動力により，アーム３４２が駆動軸３４４を軸として回動する。
【００４８】
昼間の撮影においては，主に可視光波長領域の光を利用して撮影するため，近赤外波長領域の光をカットする必要があり，図６（ａ）に示すような開口部１２ａに赤外光カットフィルタ２４が位置している状態で撮影を行う。この状態では，フィルタ開口部２２ａが基台部１０の開口部１２ａと重なっている。また，図６（ａ）の状態では，アーム３４２の略中央部が係止ピン３４６に接触してアーム３４２が係止されており，アーム３４２がさらに図の反時計回り方向に回動せず，フィルタ部材２０がさらに光軸に対して垂直方向下方に移動しない。
【００４９】
一方，夜間の撮影においては，主に近赤外波長領域の光を利用して撮影するため，近赤外波長領域の光をカットせずに透過させる必要があり，図６（ｂ）に示すような開口部１２ａに近赤外波長領域の光をカットしないクリアフィルタ２６が位置している状態で撮影を行う。したがって，昼間から夜間になる際には，赤外光カットフィルタ２４からクリアフィルタ２６に切り替える必要がある。このような切替は以下のようにして行われる。
【００５０】
すなわち，図６（ａ）に示す状態から，ガルバノメータ３２の動力により，アーム３４２が駆動軸３４４を軸として，図の時計回り方向に回動する。このとき，駆動ピン３４３は駆動溝２２ｃと係合しているので，フィルタ部材２０は，アーム３４２の時計回り方向の回動に伴い，光軸に対して垂直方向上方へ移動する。アーム３４２が回動を続けると，図７（ｂ）に示すように，ストッパ３４８が係止ピン３４６に接触して係止され，これによりアーム３４２の回動が止まるとともに，フィルタ部材２０の光軸に対して垂直方向上方への移動も停止する。この状態では，フィルタ開口部２２ｂが基台部１０の開口部１２ａと重なっている。
【００５１】
このようにして，開口部１２ａを覆う光学フィルタを，近赤外波長領域の光をカットする赤外光カットフィルタ２４と当該波長領域の光をカットしないクリアフィルタ２６との間で切り替えることにより，色収差の影響による結像位置のずれを修正することができ，昼夜において鮮明な画像を得ることが可能となる。
【００５２】
また，上記開口部１２ａ，及びこれに重なるフィルタ開口部２２ａ，２２ｂの形状を工夫することにより，より大きな絞り径にまで対応できるようになる。したがって，Ｆナンバーの小さなレンズを適用することができ，昼夜兼用のレンズ装置においても，昼夜においてより鮮明な明るい画像を得ることが可能となる。
【００５３】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００５４】
例えば，上述した実施形態においては，光学フィルタとして，赤外光カットフィルタとクリアフィルタを備える例を挙げて説明したが，この場合に限られず，光学フィルタとしてＮＤフィルタとクリアフィルタを備えていてもよく，また，一方に赤外光カットフィルタのみを備え，他方は単なる開口であってもよい。
【産業上の利用可能性】
【００５５】
本発明は，赤外光カットフィルタ等の光学フィルタを備えるフィルタ切替機構に適用可能であり，特に，昼夜両用の監視カメラ用レンズに用いられるフィルタ切替機構に適用可能である。
【図面の簡単な説明】
【００５６】
【図１】本発明の一実施形態に係るフィルタ切替機構の外観構成を示す図であって，（ａ）は正面図，（ｂ）は側面図である。
【図２】同実施形態におけるフィルタ切替機構の内部構成を示す背面図である。
【図３】同実施形態における基台部および駆動部の内部構成を示す背面図である。
【図４】同実施形態におけるフィルタ部材の構成を示す背面図であり，（ａ）はフィルタ基板を示し，（ｂ）は光学フィルタを示す。
【図５】同実施形態におけるフィルタ切替機構の開口部の形状を示す説明図である。
【図６】同実施形態におけるフィルタ切替機構の動作を説明するための背面図であり，（ａ）は，開口部に赤外光カットフィルタが位置している状態を示す図であり，（ｂ）は，開口部にクリアフィルタが位置している状態を示す図である。
【図７】従来のフィルタ切替機構の開口部の形状の例を示す説明図である。
【符号の説明】
【００５７】
１      フィルタ切替機構
１０      基台部
１２      本体部
１２ａ      開口部
１４      フレーム部
２０      フィルタ部材
２２      フィルタ基板
２２ａ      フィルタ開口部
２２ｂ      フィルタ開口部
２４      赤外光カットフィルタ
２６      クリアフィルタ
３０      駆動部
３２      ガルバノメータ
３４      フィルタ部材移動機構
【図１】
2007079338.tif 000003
【図２】
2007079338.tif 000004
【図３】
2007079338.tif 000005
【図４】
2007079338.tif 000006
【図５】
2007079338.tif 000007
【図６】
2007079338.tif 000008
【図７】
2007079338.tif 000009